【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
シート上のトナー像を加熱するニップ部を形成する第１回転部材及び第２回転部材と、
前記第１回転部材を回転自在に保持する第１ユニットと、
前記第２回転部材を回転自在に保持する第２ユニットと、
前記第１ユニットを前記第２ユニットに向けて加圧する加圧機構と、を備え、
前記加圧機構は、
前記第１ユニットに突き当たり可能な突き当て部材と、
前記突き当て部材に回転自在に支持される支持部を有して、前記突き当て部材を加圧可能なアーム部材と、
一端部が前記第２ユニットに取り付けられ、他端部が前記アーム部材の前記支持部よりも自由端に近い位置に装着されるばね部材と、を有する、
ことを特徴とする画像加熱装置。
【請求項２】
所定の角度範囲で前記アーム部材を回動自在に支持し、前記第１ユニットの取り付け及び取り外しが可能な開口部を開閉するカバー部材を備え、
前記カバー部材は、前記アーム部材から前記ばね部材の他端部を取り外すことで開閉自在である、
ことを特徴とする、請求項１に記載の画像加熱装置。
【請求項３】
前記突き当て部材が前記所定の角度範囲を超えて前記カバー部材に対して相対的に回動することを規制する規制部を備えた、
ことを特徴とする、請求項２に記載の画像加熱装置。
【請求項４】
前記アーム部材は、前記位置に設けられた突起部を有し、
前記ばね部材は、前記他端部に設けられて、前記突起部に引っ掛けられる引っ掛け部を有する、
ことを特徴とする、請求項１ないし３のうちの何れか１項に記載の画像加熱装置。
【請求項５】
前記引っ掛け部は、円環状に形成されている、
ことを特徴とする、請求項４に記載の画像加熱装置。
【請求項６】
前記ばね部材は、コイルスプリングである、
ことを特徴とする、請求項１ないし５のうちの何れか１項に記載の画像加熱装置。
【請求項７】
前記アーム部材は、前記コイルスプリングが自然長となる位置に回動可能である、
ことを特徴とする、請求項６に記載の画像加熱装置。
【請求項８】
前記加圧機構により前記第１ユニットが前記第２ユニットに向けて付勢されているときに、前記ばね部材の付勢力に抗して少なくとも前記第１ユニットの一部から前記突き当て部材を離間させる離間機構を備えた、
ことを特徴とする、請求項１ないし７のうちの何れか１項に記載の画像加熱装置。
【請求項９】
前記第１ユニットは、前記第１回転部材を回転自在に支持する支持部材を有し、
前記突き当て部材は、前記支持部材を加圧することで前記第１回転部材を前記第２回転部材に向けて加圧する、
ことを特徴とする、請求項８に記載の画像加熱装置。
【請求項１０】
前記離間機構は、少なくとも前記支持部材の一部から前記突き当て部材を離間させるカムを有する、
ことを特徴とする、請求項９に記載の画像加熱装置。
【請求項１１】
前記第１回転部材は、エンドレスベルトであり、
前記第２回転部材は、前記エンドレスベルトを回転駆動する、
ことを特徴とする、請求項１ないし１０のうちの何れか１項に記載の画像加熱装置。
【請求項１２】
前記エンドレスベルトを加熱する加熱機構を備えた、
ことを特徴とする、請求項１１に記載の画像加熱装置。
【請求項１３】
前記アーム部材は、自由端に設けられた把手部を有する、
ことを特徴とする、請求項１ないし１２のうちの何れか１項に記載の画像加熱装置。
【請求項１４】
シート上のトナー像を加熱するニップ部を形成する第１回転部材及び第２回転部材と、
前記第１回転部材を回転自在に保持する第１ユニットと、
前記第２回転部材を回転自在に保持する第２ユニットと、
前記第１ユニットの長手方向両端部のそれぞれを前記第２ユニットに向けて付勢する加圧機構と、を備え、
前記加圧機構は、
前記第１ユニットの長手方向一端部に突き当たり可能な第１突き当て部材と、
前記第１突き当て部材に回転自在に支持される第１支持部を有して、前記第１突き当て部材を加圧可能な第１アーム部材と、
一端部が前記第２ユニットに取り付けられ、他端部が前記第１アーム部材の前記第１支持部よりも自由端に近い位置に装着される第１ばね部材と、
前記第１ユニットの長手方向他端部に突き当たり可能な第２突き当て部材と、
前記第２突き当て部材に回転自在に支持される第２支持部を有して、前記第２突き当て部材を加圧可能な第２アーム部材と、
一端部が前記第２ユニットに取り付けられ、他端部が前記第２アーム部材の前記第２支持部よりも自由端に近い位置に装着される第２ばね部材と、を有する、
ことを特徴とする画像加熱装置。
【請求項１５】
所定の角度範囲で前記第１アーム部材及び前記第２アーム部材を回動自在に支持し、前記第１ユニットの取り付け及び取り外しが可能な開口部を開閉するカバー部材を備え、
前記カバー部材は、前記第１アーム部材及び前記第２アーム部材から前記第１ばね部材及び前記第２ばね部材の他端部をそれぞれ取り外すことで開閉自在である、
ことを特徴とする、請求項１４に記載の画像加熱装置。
【請求項１６】
前記第１突き当て部材及び前記第２突き当て部材が前記所定の角度範囲を超えて前記カバー部材に対して相対的に回動することを規制する規制部を備えた、
ことを特徴とする、請求項１５に記載の画像加熱装置。
【請求項１７】
前記第１ばね部材及び前記第２ばね部材の付勢力に抗して少なくとも前記第１ユニットの一部から前記第１突き当て部材及び前記第２突き当て部材をそれぞれ離間させる離間機構を備えた、
ことを特徴とする、請求項１４ないし１６のうちの何れか１項に記載の画像加熱装置。
【請求項１８】
前記第１ばね部材及び前記第２ばね部材は、それぞれコイルスプリングであり、
前記第１アーム部材及び第２アーム部材は、それぞれ前記コイルスプリングが自然長となる位置に回動可能である、
ことを特徴とする、請求項１４ないし１７のうちの何れか１項に記載の画像加熱装置。
【手続補正２】
【補正対象書類名】明細書
【補正対象項目名】発明の名称
【補正方法】変更
【補正の内容】
【発明の名称】画像加熱装置
【手続補正３】
【補正対象書類名】明細書
【補正対象項目名】０００１
【補正方法】変更
【補正の内容】
【０００１】
本発明は、シート上のトナー像を加熱する画像加熱装置に関する。
【手続補正４】
【補正対象書類名】明細書
【補正対象項目名】０００５
【補正方法】変更
【補正の内容】
【０００５】
ここで、ニップ部に加圧力を発生させるために、ばね部材によって被加圧部材を加圧する構成が、従来から知られている（例えば、特許文献１、２参照）。特許文献１、２に記載された構造の場合、ばね部材は、一端を被加圧部材に直接的に接続され、他端を筺体もしくは筺体に一体的に固定された部材に接続された状態で取り付けられている。
【手続補正５】
【補正対象書類名】明細書
【補正対象項目名】０００７
【補正方法】変更
【補正の内容】
【０００７】
しかしながら、上述のような構造の場合、被加圧部材の交換作業などメンテナンスを行う際に、ばね部材を取り外しにくい。即ち、ばね部材は、例えば、３００Ｎのような強い力で被加圧部材を付勢している。このため、このような強い力が生じた状態の付勢手段を取り外すには手間がかかる。
【手続補正６】
【補正対象書類名】明細書
【補正対象項目名】０００８
【補正方法】変更
【補正の内容】
【０００８】
本発明は、このような事情に鑑み、ばね部材の取り外しが容易に行える構成を実現すべく発明したものである。
【手続補正７】
【補正対象書類名】明細書
【補正対象項目名】０００９
【補正方法】変更
【補正の内容】
【０００９】
本発明は、シート上のトナー像を加熱するニップ部を形成する第１回転部材及び第２回転部材と、前記第１回転部材を回転自在に保持する第１ユニットと、前記第２回転部材を回転自在に保持する第２ユニットと、前記第１ユニットを前記第２ユニットに向けて加圧する加圧機構と、を備え、前記加圧機構は、前記第１ユニットに突き当たり可能な突き当て部材と、前記突き当て部材に回転自在に支持される支持部を有して、前記突き当て部材を加圧可能なアーム部材と、一端部が前記第２ユニットに取り付けられ、他端部が前記アーム部材の前記支持部よりも自由端に近い位置に装着されるばね部材と、を有する、ことを特徴とする画像加熱装置にある。
【手続補正８】
【補正対象書類名】明細書
【補正対象項目名】００１０
【補正方法】変更
【補正の内容】
【００１０】
本発明によれば、ばね部材の取り外しを容易に行える。
【手続補正９】
【補正対象書類名】明細書
【補正対象項目名】００１８
【補正方法】変更
【補正の内容】
【００１８】
［定着装置］
次に、図２及び図３を用いて、画像加熱装置としての定着装置６の概略構成について説明する。定着装置６は、記録材（シート）に担持された画像を加熱する加熱部材としての定着アセンブリ１０（第１ユニット）と、定着アセンブリ１０の定着フィルム１３（第１回転部材）との間で記録材を挟持するニップ部Ｎを形成するニップ形成部材としての対向ローラ２０（第２回転部材）と、詳しくは後述する加圧装置２００とを備える。本実施形態の定着装置６は、定着アセンブリ１０が定着フィルム１３を備えたフィルム加熱方式である。
【手続補正１０】
【補正対象書類名】明細書
【補正対象項目名】００１９
【補正方法】変更
【補正の内容】
【００１９】
定着アセンブリ１０は、加圧装置２００により加圧される被加圧部材であり、可撓性スリーブ（エンドレスベルト）としての定着フィルム１３、加熱機構としての加熱ヒータ１１、加熱ヒータ１１を保持する断熱ホルダ１２、及び、金属ステー１４を備える。ここで、金属ステー１４は、ばね部材（第１ばね部材、第２ばね部材）としての加圧バネ１５による加圧力を、突き当て部材（第１突き当て部材、第２突き当て部材）としての加圧アーム２３及びフランジ１６を介して受けることで断熱ホルダ１２を対向ローラ２０に抗して押圧するものである。
【手続補正１１】
【補正対象書類名】明細書
【補正対象項目名】００３２
【補正方法】変更
【補正の内容】
【００３２】
［加圧装置］
次に、被加圧部材としての定着アセンブリ１０を加圧する加圧機構としての加圧装置２００について、図２ないし図５を用いて説明する。加圧装置２００は、筺体２５と、カバー部材としての開閉カバー２４と、突き当て部材としての加圧アーム２３と、付勢手段としての加圧バネ１５とを備える。筺体２５（第２ユニット）は、定着装置６の筺体でもあり、定着アセンブリ１０や対向ローラ２０などを収納すると共に、定着アセンブリ１０や対向ローラ２０などを出し入れ可能な開口部２５ａを有する。このような筺体２５は、１対の支持板２５ｂを有し、これら両支持板２５ｂの間に定着アセンブリ１０及び対向ローラ２０を収納配置すると共に、これらの両端部を支持する。したがって、筺体２５は、対向ローラ２０を回転自在に保持する。
【手続補正１２】
【補正対象書類名】明細書
【補正対象項目名】００３５
【補正方法】変更
【補正の内容】
【００３５】
また、開閉カバー２４には、加圧アーム２３と開閉カバー２４との相対回転を規制する規制部としての、第１規制部２４ａ及び第２規制部２４ｂを有する。第１規制部２４ａは、開閉カバー２４の覆い部２４０の両端部に、加圧アーム２３の開放方向（図４の矢印Ｂ方向）への回動側に加圧アーム２３を覆うように形成されている。そして、加圧アーム２３が開放方向に回動した場合に加圧アーム２３の一部と第１規制部２４ａとが当接することで、加圧アーム２３の開閉カバー２４に対する開放方向への相対的な回動を規制する。即ち、加圧アーム２３の開放方向への回動に伴い、開閉カバー２４が加圧アーム２３と共に開放方向に回動する。
【手続補正１３】
【補正対象書類名】明細書
【補正対象項目名】００３７
【補正方法】変更
【補正の内容】
【００３７】
本実施形態の場合、第１規制部２４ａ及び第２規制部２４ｂと加圧アーム２３との間に隙間を設けて、開閉カバー２４と加圧アーム２３とを若干（所定の角度範囲）の相対回転可能としている。即ち、第１規制部２４ａ及び第２規制部２４ｂは、加圧アーム２３が所定の角度範囲を超えて開閉カバー２４に対して相対的に回動することを規制する。なお、このような相対回転を規制する規制部は、例えば、加圧アーム２３を開閉カバー２４に対して回動不能に（或いは若干の回動可能に）支持する構成とするなど、他の構成とすることもできる。
【手続補正１４】
【補正対象書類名】明細書
【補正対象項目名】００３８
【補正方法】変更
【補正の内容】
【００３８】
加圧バネ１５は、加圧位置に位置する加圧アーム２３の他端側の先端部と筺体２５との間に配置され、加圧アーム２３を加圧力の付与方向（加圧方向）に付勢する。本実施形態では、加圧バネ１５は、一端部を筺体２５に設けられた筺体側接続部としての係合孔２５ｃに取り付けられ、他端部を加圧アーム２３側の回動側接続部としての突起部（ボス）２９に装着される引張バネである。本実施形態では、コイルバネとしている。即ち、加圧バネ１５の一端部に形成された一端側引っ掛け部１５ａを筺体２５の係合孔２５ｃに引っ掛けると共に、加圧バネ１５の他端部に円環状に形成された他端側引っ掛け部１５ｂを突起部２９に引っ掛ける。そして、係合孔２５ｃと突起部２９との間で、自由状態から弾性的に伸びた状態で加圧バネ１５を配置することで、加圧アーム２３を加圧方向に付勢する。なお、突起部２９は、後述するように、解除手段としての解除機構２０５を構成し、加圧アーム２３の先端に支持されたアーム部材（第１アーム部材、第２アーム部材）としての解除アーム２７に突設されている。
【手続補正１５】
【補正対象書類名】明細書
【補正対象項目名】００３９
【補正方法】変更
【補正の内容】
【００３９】
また、加圧アーム２３は、一端部が筺体２５に接続された加圧バネ１５の他端部に対して、装着及び取り外しが自在である。即ち、加圧バネ１５の他端側引っ掛け部１５ｂを加圧アーム２３側の突起部２９から引き抜くことで、加圧アーム２３を加圧バネ１５の他端部から取り外せる。また、他端側引っ掛け部１５ｂに突起部２９を挿入することで、加圧アーム２３を加圧バネ１５の他端部に接続できる。なお、このような加圧バネ１５と加圧アーム２３との接続及び取り外しは、加圧バネ１５が加圧された状態でも、ペンチなどの工具を用いて行うことができる。但し、本実施形態では、後述するように、加圧バネ１５による加圧力を解除又は減じた状態で行うようにしている。
【手続補正１６】
【補正対象書類名】明細書
【補正対象項目名】００４０
【補正方法】変更
【補正の内容】
【００４０】
定着アセンブリ１０は、支持部材としてのフランジ１６を有する。即ち、フランジ１６の内側面に突出するように形成された円弧状の案内部１６ａを定着フィルム１３の端部に挿入することで、定着フィルム１３の長手方向両端部が、両端のフランジ１６の案内部１６ａにそれぞれ回転自在に支持される。即ち、定着フィルム１３は、定着アセンブリ１０のフランジ１６に回転自在に保持される。これら両端のフランジ１６は、金属ステー１４により接続されている。したがって、両端のフランジ１６により、金属ステー１４、金属ステー１４に支持される断熱ホルダ１２、及び、断熱ホルダ１２に保持される加熱ヒータ１１なども支持される。また、両端のフランジ１６は、それぞれ、筺体２５の１対の支持板２５ｂに対して着脱自在に、且つ、対向ローラ２０に対する遠近動自在に装着されている。更に、定着フランジ１０の長手方向両端のフランジ１６の外側面には、加圧位置で加圧アーム２３と当接する当接受部１６ｂが突設されている。
【手続補正１７】
【補正対象書類名】明細書
【補正対象項目名】００４１
【補正方法】変更
【補正の内容】
【００４１】
このように構成される加圧装置２００は、加圧アーム２３が加圧位置でフランジ１６の当接受部１６ｂ（支持部材の一部）と当接する（突き当たる）ことで、フランジ１６を介して定着アセンブリ１０に加圧力を付与する。即ち、第１突き当て部材としての一端側の加圧アーム２３は、定着アセンブリ１０の長手方向一端部を、一端側のフランジ１６に突き当たることで対向ローラ２０に向けて加圧する。同様に、第２突き当て部材としての他端側の加圧アーム２３は、定着アセンブリ１０の長手方向他端部を、他端側のフランジ１６に突き当たることで対向ローラ２０に向けて加圧する。具体的には、一端側及び他端側の第１ばね部材及び第２ばね部材としての加圧バネ１５は、それぞれ、一端を、筺体２５に接続され、他端を加圧アーム２３に接続される。また、加圧アーム２３は、回動中心Ｃを中心に回動自在に保持され、加圧バネ１５により加圧アーム２３の一端が付勢されることにより加圧アーム２３が加圧位置でフランジ１６の当接受部１６ｂに当接する。そして、加圧アーム２３がフランジ１６に付勢力を与え、フランジ１６を対向ローラ２０方向へ押圧する。フランジ１６へ伝達された付勢力は金属ステー１４の両端部に作用し、その結果、金属ステー１４は対向ローラ２０方向へ押圧される。これにより、金属ステー１４に接触配置された断熱ホルダ１２及び断熱ホルダ１２に接触配置された加熱ヒータ１１が一体となって対向ローラ２０方向へ押圧される。
【手続補正１８】
【補正対象書類名】明細書
【補正対象項目名】００５１
【補正方法】変更
【補正の内容】
【００５１】
［加圧調整機構］
次に、図７及び図８を用いて、定着アセンブリ１０に付与される加圧力を調整する加圧調整手段（離間機構）としての加圧調整機構２０３について説明する。加圧調整機構２０３は、加圧位置に位置する加圧アーム２３を加圧力の付与方向と反対方向に移動させて、定着アセンブリ１０に付与される加圧力を調整する。このために、加圧調整機構２０３は、加圧アーム２３に当接して加圧アーム２３を移動させる当接部材としての調整カム２６と、調整カム２６を回転駆動する駆動手段としてのモータ２０４とを有する。
【手続補正１９】
【補正対象書類名】明細書
【補正対象項目名】００５２
【補正方法】変更
【補正の内容】
【００５２】
調整カム２６は、回転中心からの距離が異なる外周面を有し、回転することで、加圧アーム２３に当接する外周面の位置を変更して、加圧アーム２３を移動させる。具体的には、調整カム２６は、加圧アーム２３の先端側の近傍で、この先端側部分の加圧バネ１５の付勢方向側の位置に、筺体２５に回動自在に支持されている。また、調整カム２６は、回転中心に対して偏芯した表面である外形を持つように構成される。そして、調整カム２６は、その位相により、加圧位置の加圧アーム２３に接触しない位置まで退避したり、加圧アーム２３に接触・押圧して、加圧バネ１５の付勢力に抗する方向に加圧アーム２３を移動させたりする。即ち、加圧調整機構２０３は、加圧装置２００により定着アセンブリ１０が対向ローラ２０に向けて付勢されているときに、加圧バネ１５の付勢力に抗して少なくとも定着アセンブリ１０の一部から加圧アーム２３を離間させる。このような調整カム２６の回動は、制御部２０１からの指令によりモータ２０４を駆動することで制御され、調整カム２６の位相を任意の位置に設定可能となっている。
【手続補正２０】
【補正対象書類名】明細書
【補正対象項目名】００５３
【補正方法】変更
【補正の内容】
【００５３】
このように、調整カム２６が加圧アーム２３と接触して、図７の矢印方向に加圧アーム２３を押し上げることで、加圧アーム２３により定着アセンブリ１０に対する加圧力が解除又は軽減される。即ち、調整カム２６の位相を、図７に示すような位置とすることで、加圧アーム２３をフランジ１６の当接受部１６ｂ（支持部材の一部）から離間させて、加圧アーム２３から定着アセンブリ１０に対する加圧力を解除する。なお、加圧アーム２３が当接受部１６ｂに接触した状態であっても、加圧アーム２３を前述の図５に示す加圧位置から移動させることで、加圧アーム２３による加圧力が軽減されるようにしても良い。
【手続補正２１】
【補正対象書類名】明細書
【補正対象項目名】００６６
【補正方法】変更
【補正の内容】
【００６６】
［付勢力の解除］
次に、加圧バネ１５による付勢力を解除する解除手段としての解除機構２０５について、図９ないし図１２を用いて説明する。解除機構２０５は、加圧アーム２３に回動自在に支持されるアーム部材としての解除アーム２７と、解除アーム２７の回動中心Ｑから外れた位置に設けられ、加圧バネ１５が接続される回動側接続部としての突起部（ボス）２９とを有する。そして、解除アーム２７の回動位置に基づいて、加圧バネ１５の付勢力により加圧アーム２３を加圧したり、加圧アーム２３に付与される加圧バネ１５の付勢力を軽減又は解除したりできるように、突起部２９の位置が設定されている。即ち、図９に示すように、解除アーム２７が所定位置に位置する場合に、解除アーム２７を介して加圧バネ１５の付勢力により加圧アーム２３が加圧される。一方、図１１又は図１２に示すように、解除アーム２７が所定位置から所定角度回動した解除位置に位置する場合に、所定位置に位置する場合よりも加圧バネ１５の付勢力が軽減又は解除される。以下、具体的に説明する。
【手続補正２２】
【補正対象書類名】明細書
【補正対象項目名】００６７
【補正方法】変更
【補正の内容】
【００６７】
加圧アーム２３の他端には、解除アーム２７の基端部が回動軸２８（支持部）を中心に加圧アーム２３に対して回動自在に支持される。解除アーム２７の基端部には加圧バネ１５を装着するための突起部２９が設けられ、加圧バネ１５の他端部に形成された他端側引っ掛け部１５ｂを突起部２９に引っ掛けることにより、加圧バネ１５と解除アーム２７とが接続される。また、加圧バネ１５の一端部に形成された一端側引っ掛け部１５ａを、筺体２５（第２ユニット）に設けられた係合孔２５ｃに引っ掛けることにより、加圧バネ１５と筺体２５とを接続部Ｋで接続する。これにより、加圧バネ１５の付勢力が、解除アーム２７を介して加圧アーム２３に付与される。即ち、第１アーム部材としての一端側の解除アーム２７は、第１突き当て部材としての一端側の加圧アーム２３に回転自在に支持される第１支持部としての回動軸２８を有して、一端側の加圧アーム２３を加圧可能である。同様に、第２アーム部材としての他端側の解除アーム２７は、第２突き当て部材としての他端側の加圧アーム２３に回転自在に支持される第２支持部としての回動軸２８を有して、他端側の加圧アーム２３を加圧可能である。
【手続補正２３】
【補正対象書類名】明細書
【補正対象項目名】００６８
【補正方法】変更
【補正の内容】
【００６８】
また、解除アーム２７の突起部２９は、回動軸２８の回動中心Ｑから外れた位置に設けられており、解除アーム２７を、回動軸２８を中心に回動させることで、突起部２９と接続部Ｋとの距離が変化する。即ち、加圧バネ１５が装着される突起部２９は、解除アーム２７の回動軸２８よりも先端（自由端）に近い位置に設けられている。したがって、解除アーム２７を図９の矢印Ｍ１方向（解除方向）に回動させることにより、突起部２９が回動軸２８を中心として回転変位する。なお、解除アーム２７の先端側（自由端）には、解除動作時に解除アーム２７を操作するための把手部２７ａが設けられている。
【手続補正２４】
【補正対象書類名】明細書
【補正対象項目名】００６９
【補正方法】変更
【補正の内容】
【００６９】
そして、解除アーム２７の回動により突起部２９と接続部Ｋとの距離が減少し、この距離が加圧バネ１５の自然長と等しくなった、或いは自然長以下となった解除位置で、突起部２９から加圧バネ１５の他端側引っ掛け部１５ｂが取り外し自在となる。即ち、解除アーム２７は、加圧バネ１５が自然長となる位置に回動可能である。言い換えれば、本実施形態の場合、突起部２９の位置は、解除アーム２７の解除位置で、突起部２９と接続部Ｋ（係合孔２５ｃ）との距離が、加圧バネ１５の自然長以下となるように設定されている。
【手続補正２５】
【補正対象書類名】明細書
【補正対象項目名】００９１
【補正方法】変更
【補正の内容】
【００９１】
６・・・定着装置（画像加熱装置）、１０・・・定着アセンブリ（第１ユニット）、１１・・・加熱ヒータ（加熱機構）、１３・・・定着フィルム（第１回転部材、エンドレスベルト）、１５・・・加圧バネ（ばね部材、第１ばね部材、第２ばね部材）、１５ａ・・・一端側引っ掛け部、１５ｂ・・・他端側引っ掛け部（引っ掛け部）、１６・・・フランジ（支持部材）、２０・・・対向ローラ（第２回転部材）、２３・・・加圧アーム（突き当て部材、第１突き当て部材、第２突き当て部材）、２４・・・開閉カバー（カバー部材）、２４ａ・・・第１規制部（規制部）、２４ｂ・・・第２規制部（規制部）、２５・・・筺体（第２ユニット）、２５ａ・・・開口部、２５ｃ・・・係合孔（筺体側接続部）、２６・・・調整カム（カム）、２７・・・解除アーム（アーム部材、第１アーム部材、第２アーム部材）、２７ａ・・・把手部、２８・・・回動軸（支持部）、２９・・・突起部、２００・・・加圧装置（加圧機構）、２０３・・・加圧調整機構（離間機構）、２０５・・・解除機構（解除手段）